(57)【要約】 【課題】  位牌、写真楯や遺骨入れ等を本尊と同等に大切に取り扱うことができる仏壇を提供すること。【解決手段】  仏壇本体１内の少なくとも奥域を区画壁２により上下二段の上・下収容部３，４に区画形成してあり、上収容部３の正面視中央に本尊安置部３０を設けてあると共に、下収容部４に正面視中央に位牌Ｉ、亡くなられた方の写真を入れた楯Ｆ又は遺骨を入れた容器Ｂ用の安置部４０を設けてある。また、上収容部３の上部には本尊安置部３０を照らすための本尊用照明具５を設けてあり、下収容部４の上部には安置部４０を照らすための照明具６を設けてある。【選択図面】  図３
2006075473.tif 000002
【特許請求の範囲】
【請求項１】
仏壇本体（１）内の少なくとも奥域を区画壁（２）により上下二段の上・下収容部（３）（４）に区画形成してあり、上収容部（３）の正面視中央に本尊安置部（３０）を設けてあると共に、下収容部（４）の正面視中央に位牌（Ｉ）、亡くなられた方の写真を入れた楯（Ｆ）又は遺骨を入れた容器（Ｂ）用の安置部（４０）を設けてあることを特徴とする仏壇。
【請求項２】
上収容部（３）の上部には本尊安置部（３０）を照らすための本尊用照明具（５）を設けてあり、下収容部（４）の上部には安置部（４０）を照らすための照明具（６）を設けてあることを特徴とする請求項１記載の仏壇。
【請求項３】
本尊用照明具（５）は上収容部（３）を構成する天壁（１１）内又はその近傍に設けてあり、照明具（６）は下収容部を構成する区画壁（２）近傍に設けてあることを特徴とする請求項２記載の仏壇。
【請求項４】
仏壇本体（１）の前面は扉（１０）により開閉自在としてあることを特徴とする請求項１乃至３のいずれかに記載の仏壇。
【発明の詳細な説明】
【技術分野】
【０００１】
この発明は、仏像や掛軸状の本尊を安置するための仏壇に関するものである。
【背景技術】
【０００２】
仏壇は、信仰の対象物である本尊を安置するためのものであり、信仰者にとって非常に重要なものである。一般に、仏壇内には本尊と共に位牌が収容されることが多く、場合によっては亡くなられた方の写真を入れた楯（以下、課題を解決するための手段の欄を除いて単に写真楯という）や遺骨を入れた容器（以下、課題を解決するための手段の欄を除いて単に遺骨入れという）等が収容されることもある。
【０００３】
ところで、位牌等を仏壇の前部中央に配置させた場合、前記位牌等により本尊の一部が隠れたりするような事態が生じるため、通常、位牌は本尊の側方である隅に配置するようにしている。
【０００４】
しかしながら、遺族にとって位牌等は本尊と同等に大切なものであるから、本尊と同等に取り扱いたいという思いがある。
【０００５】
そこで、本尊安置部の側方の隅の部分に位牌等を安置するための安置棚を設けた仏壇が発案されている（例えば特許文献１。）。
【０００６】
ところが、この仏壇では、安置棚が設けられたからといっても大切な位牌等が仏壇の隅に置かれるということ自体は変わらないし、また、遺族にとっては読経時において本尊と共に真正面から位牌等を見たいという願望がある。更に、本尊用に設けられた照明では、位牌等には余り光が当たらないという感も拭いきれない。
【０００７】
近年、上記のような遺族の思いを受けて、多数の仏具店では、位牌、写真楯や遺骨入れ等を本尊と同等に大切に取り扱うことができる仏壇が開発されることを待ち望んでいる。      
【特許文献１】特開平５−１３７６３９号
【発明の開示】
【発明が解決しようとする課題】
【０００８】
そこでこの発明では、位牌、写真楯や遺骨入れ等を本尊と同等に大切に取り扱うことができる仏壇を提供することを課題とする。
【課題を解決するための手段】
【０００９】
（請求項１記載の発明）
請求項１記載の発明の仏壇は、仏壇本体１内の少なくとも奥域を区画壁２により上下二段の上・下収容部３，４に区画形成してあり、上収容部３の正面視中央に本尊安置部３０を設けてあると共に、下収容部４に正面視中央に位牌Ｉ、亡くなられた方の写真を入れた楯Ｆ又は遺骨を入れた容器Ｂ用の安置部４０を設けてある。
（請求項２記載の発明）
請求項２記載の発明の仏壇は、上記請求項１記載の発明に関し、上収容部３の上部には本尊安置部３０を照らすための本尊用照明具５を設けてあり、下収容部４の上部には安置部４０を照らすための照明具６を設けてある。
（請求項３記載の発明）
請求項３記載の発明の仏壇は、上記請求項２記載の発明に関し、本尊用照明具５は上収容部３を構成する天壁１１内又はその近傍に設けてあり、照明具６は下収容部を構成する区画壁２近傍に設けてある。
（請求項４記載の発明）
請求項４記載の発明の仏壇は、上記請求項１乃至３のいずれかに記載の発明に関し、仏壇本体１の前面は扉１０により開閉自在としてある。
【発明の効果】
【００１０】
この発明の仏壇によると、位牌、写真楯や遺骨入れ等を本尊と同等に大切に取り扱うことができる。
【発明を実施するための最良の形態】
【００１１】
以下にこの発明の仏壇を実施するための最良の形態としての実施例について詳細に説明する。
【実施例１】
【００１２】
図１はこの発明の実施例１の仏壇１の正面図、図２は前記仏壇１の側断面図、図３は仏壇１の本尊安置部３０に本尊Ｈを、安置部４０に位牌Ｉを、それぞれ安置した状態の正面図、図４は仏壇１の安置部４０に写真楯Ｆを安置した状態の正面図、図５は仏壇１の安置部４０に遺骨入れＢを安置した状態の正面図を示している。
（この仏壇１等の基本的構成について）
この仏壇１は、図１や図２に示すように、下台７上に載置された仏壇本体１内の少なくとも奥域を区画壁２により上下二段の上・下収容部３，４に区画形成してあり、上収容部３の正面視中央部には本尊Ｈ用の本尊安置部３０を設けてあると共に、下収容部４の正面視中央部には位牌Ｉ用の安置部４０を設けてあり、前記上収容部３の上部には本尊安置部３０を照らすための本尊用照明具５を、下収容部４の上部には安置部４０を照らすための照明具６を、それぞれ設けてある。
【００１３】
以下に仏壇１を構成する上記した各部材、及び下台７について詳述する。
（この仏壇１等の具体的構成について）
仏壇本体１は、図１や図２に示すように、天壁１１、側壁１２，１２、下壁１３及び奥壁１４とから構成された前面開放の箱体１ａと、前記側壁１２，１２の前端部に蝶板１９を介してそれぞれ取り付けられた二枚の扉１０，１０とから構成されており、前記扉１０，１０を観音開きの形式としてある。ここで箱体１ａの内壁面は全体が金色にしてあり、これにより本尊用照明具５及び照明具６を照らしたときに荘厳さをかもしだす様にしてある。
【００１４】
前記仏壇本体１内には、図１や図２に示すように、上述した如くその奥域を区画壁２により上下二段とした上・下収容部３，４を構成させてあるが、さらに、前記上収容部３の下部域（区画壁２の僅かに上方）には上載置台３１を、下収容部４の下部域には下載置台４１を、それぞれ配設してある。
【００１５】
また、上記天壁１１には、図１や図２に示すように、その奥中央部に本尊用照明具５を設置してある。
【００１６】
上載置台３１は、図１や図２に示すように、側壁１２，１２相互間に架設されていると共に奥壁１４と接する構成としてあり、また、当該上載置台３１の下面中央部には区画壁２を貫通突出する態様で照明具６を設置してある。
【００１７】
下載置台４１は、図１や図２に示すように、側壁１２，１２相互間に架設されていると共に奥壁１４と接する構成としてあり、また、当該下載置台４１の下方には所謂膳引４２を設けてある。
【００１８】
本尊用照明具５は、図１や図２に示すように、電球５０を周壁５１及び下面壁５２で包囲して成るものであり、電球５０からの光を上方から下方に照らすために下面壁５２の中央部を透明板５３（又は半透明板）で構成してある。また、照明具６は、図２に示すように、本尊用照明具５と同様の構成であり、電球６０、周壁６１、下面壁６２及び透明板６３から構成されている。なお、本尊用照明具５及び照明具６は一つのスイッチ（図示しない）により点灯・消灯の切り換えが行えるようになっている。
【００１９】
下台７は、図１や図２に示すように、仏壇本体１を受け持つものであり、前記仏壇本体１と同様に前面開放の箱体７０に観音開きできる扉７１，７１を有したものである。なお、この下台７の内部には図示しないが、例えば経机等の読経時等に使用される一切の仏具が収容できるようになっている。
（この仏壇１の優れた作用・効果について）
(1) この仏壇１では、図３に示すように、本尊Ｈを上載置台３１に載せる態様で本尊安置部３０に安置し、位牌Ｉを下載置台４１に載せる態様で安置部４０に安置することにより、本尊Ｈ及び位牌Ｉを共に真正面から見ることができる。このような安置状態において、位牌Ｉにより本尊Ｈが隠れるようなことはない。
【００２０】
したがって、本尊に対して失礼なことがなく、遺族にとって読経時において本尊と同等に位牌を見ることができる。
(2) この仏壇１では、図３に示すように、本尊Ｈは本尊用照明具５からの光Ａ１により照らされ、また、位牌Ｉは照明具６からの光Ａ２により照らされ、これら光Ａ１，Ａ２により荘厳さがかもし出される。
(3) つまり、遺族の思い通りに、本尊Ｈと位牌Ｉとを同等に大切に取り扱うことができる。
(4) 図４は写真楯Ｆを下載置台４１に載せる態様で安置部４０に安置したものを示しており、図５は遺骨入れＢを下載置台４１に載せる態様で安置部４０に安置したものを示している。これらの場合において、写真楯Ｆ及び遺骨入れＢを本尊Ｈと同等の取り扱いをすることができる。
（その他の内容）
なお、この仏壇１において、本尊用照明具５、照明具６を各別のスイッチにより点灯・消灯の切り換えが行えるようにしてもよい。
【００２１】
また、この仏壇１において、本尊用照明具５、照明具６は、扉１０，１０を開状態としたときには点灯し、扉１０，１０を閉状態としたときには消灯するようにしてもよい。
【００２２】
さらに、この仏壇１において、本尊用照明具５、照明具６は手動により電球５０，６０の角度を変えることにより光Ａ１，Ａ２の照射方向を変えることができるようにしてもよい。
【００２３】
そして、光Ａ１，Ａ２を照射強さを変え得るようにしてもよい。
【図面の簡単な説明】
【００２４】
【図１】この発明の実施例１の仏壇の正面図。
【図２】前記仏壇の側断面図。
【図３】前記仏壇１の本尊安置部に本尊Ｈを、安置部に位牌を、それぞれ安置した状態の正面図。
【図４】前記仏壇の安置部に写真楯を載置した状態の正面図。
【図５】前記仏壇の安置部に遺骨入れを載置した状態の正面図。
【符号の説明】
【００２５】
Ｈ        本尊
Ｉ        位牌
Ｆ        写真楯
Ｂ        遺骨入れ
１        仏壇本体
２        区画壁
３        上収容部
４        下収容部
５        本尊照明具
６        照明具
１０      扉
１１      天壁
３０      本尊安置部
４０      安置部
【図１】
2006075473.tif 000003
【図２】
2006075473.tif 000004
【図３】
2006075473.tif 000005
【図４】
2006075473.tif 000006
【図５】
2006075473.tif 000007